(57)【要約】【課題】  樹枝状管路における幹線管路を、断水することなしに更新できるようにする。【解決手段】  更新すべき既設管路２に沿ってバイパス管路５を敷設する。バイパス管路５の一端側および他端側と既設管路２とを一対の連絡管路６、６によってそれぞれ連通させる。一方の連絡管路６と他方の連絡管路６との間における既設管路２の部分の通水を停止するとともに、バイパス管路５による通水を行いながら、通水を停止した既設管路２の部分を新管に更新する。更新後は、新管と、一対の連絡管路６、６によって既設管路２に連通されたバイパス管路５との両者を通水に供する。【選択図】        図３
2005240892.tif 000002
【特許請求の範囲】
【請求項１】
更新すべき既設管路に沿ってバイパス管路を敷設し、このバイパス管路の一端側および他端側と前記既設管路とを一対の連絡管路によってそれぞれ連通させ、一方の連絡管路と他方の連絡管路との間における既設管路の部分の通水を停止するとともに、前記バイパス管路による通水を行いながら、前記通水を停止した既設管路の部分を新管に更新し、更新後は、新管と、一対の連絡管路によって既設管路に連通されたバイパス管路との両者を通水に供することを特徴とする既設管路の更新方法。
【発明の詳細な説明】
【技術分野】
【０００１】
本発明は既設管路の更新方法に関する。
【背景技術】
【０００２】
老朽化した管路は新管に敷設替えする必要がある。このための工法として、たとえば特許文献１には、地中に埋設された既設管を破砕ヘッドで押し広げ方向に破砕しながら、その破砕により生じた空間内に新管を押し込むことが記載されている。しかしながら、既設管を破砕しながら新管を敷設するものであるため、工事中は管路に通水することができず、断水が余儀なくされる。
【０００３】
管路には、水源または浄水場から市街地までの通水を行うための幹線管路がある。この場合において、市街地では、管路は複雑に枝分かれしているのが通例である。これに対し幹線管路は、水源または浄水場と市街地とを結ぶ一本の管路で構成されるのが通例である。このような管路は、その形態から「樹枝状管路」と呼ばれる。
【０００４】
樹枝状管路では、市街地に多数の需要者が存在するために、幹線管路を断水させることが事実上不可能である。このため、幹線管路が老朽化しても、これを更新することができず、手つかずの状態とせざるを得ない場合があり、問題である。
【特許文献１】特開２００２−３１７５９８号公報
【発明の開示】
【発明が解決しようとする課題】
【０００５】
そこで本発明の課題は、樹枝状管路における幹線管路などの既設管路を、断水することなしに更新できるようにすることにある。
【課題を解決するための手段】
【０００６】
上記課題を解決するために本発明は、更新すべき既設管路に沿ってバイパス管路を敷設し、このバイパス管路の一端側および他端側と前記既設管路とを一対の連絡管路によってそれぞれ連通させ、一方の連絡管路と他方の連絡管路との間における既設管路の部分の通水を停止するとともに、前記バイパス管路による通水を行いながら、前記通水を停止した既設管路の部分を新管に更新し、更新後は、新管と、一対の連絡管路によって既設管路に連通されたバイパス管路との両者を通水に供するものである。
【発明の効果】
【０００７】
このようにすると、バイパス管路による通水を行いながら既設管路を新管に更新することができるため、樹枝状管路における幹線管路などを断水することなしに更新できるのみならず、更新後は、新管と一対の連絡管路によって既設管路に連通されたバイパス管路との両者を通水に供するため、更新後に災害が発生したりさらなる管路の更新が必要になった場合には、その該当する一方の管路の通水を停止して作業を行っても、他方の健全な管路によって通水を確保することができて、断水発生のリスクを回避することができる。
【発明を実施するための最良の形態】
【０００８】
図１において、１は水源または浄水場で、この水源または浄水場１から、地中に埋設された幹線管路２によって、市街地３への通水が行われる。市街地３では、管路４は複雑に枝分かれして各需要者への給水が行われる。これに対し、幹線管路２は大口径の１本の管路にて構成されており、以上によって樹枝状管路が構成されている。
【０００９】
以下、本発明にもとづき既設の幹線管路２を新管に更新する工法について説明する。
まず、図１に示すように、幹線管路２の近傍を掘削して、幹線管路２とは別ラインの、所定長さのバイパス管路５を敷設する。また、バイパス管路５における互いに異なった位置から幹線管路２に向かう複数の連絡管路６を敷設する。バイパス管路５および連絡管路６は、たとえば幹線管路２と比べて同径以上である管を用いて敷設する。
【００１０】
複数の連絡管路６のうちの、水源または浄水場１にもっとも近いものを除いて、連絡管路６とバイパス管路５との接合部には、バルブ７ａ、７ｂ、…を設置する。このバルブ７ａ、７ｂ、…は、バイパス管路５に二方、連絡管路６に一方の接続口を有するが、いずれか一方の接続口を閉止することができるとともに、合計三方のすべての接続口を開口することができるように、弁体８およびその作動機構が構成されている。
【００１１】
図示のように、バイパス管路５は幹線管路２の全長に対応して敷設する必要はなく、予算や工期などに応じて適当範囲のみに敷設することができる。その場合に、バイパス管路５の先端は、図示のように対応するバルブ７ｂを閉じて止水するか、および、または、その端部９の開口を蓋などによって塞ぐことで止水する。
【００１２】
次に、図２に示すように、隣り合う一対の連絡管路６、６に対応した幹線管路２の位置に、それぞれ不断水でバルブ１０Ａ、１０Ｂを設置し、各バルブ１０Ａ、１０Ｂと連絡管路６とを接合する。
【００１３】
既設の管路に不断水でバルブを設置する工法は従来から知られており、以下、その一例を簡単に説明する。
まず、既設の幹線管路２における連絡管路６に対応した部分の周囲を掘削し、図１０（ａ）に示すように、幹線管路２におけるバルブを設置しようとする部分の周囲をケース１１により水密状態で覆う。ケース１１は、その上端に開口１２を有する。開口１２には、水密構造の作業室１３を接続する。ケース１１は、図示を省略した接続口によって連絡管路６に接続される。
【００１４】
次に、図１０（ｂ）に示すように、作業室１３に収容しておいたカッタ１４を作動させて、ケース１１によって水密状態で覆われた範囲内における幹線管路２の部分を、公知の手法によって不断水で切除する。
【００１５】
これによって、図１０（ｃ）に示すように幹線管路２に切除部１５が形成されるので、この切除部１５に弁本体１６を装着する。そして、図９（ｃ）に示すように作業室１３を撤去してその代わりに開口１２を蓋１７で覆う。蓋１７には、弁本体１６の開閉操作部１８が設けられている。
【００１６】
図２に示すように、バルブ１０Ａ、１０Ｂすなわち図１０（ｃ）の弁本体１６は、弁体１９を有する。これらのバルブ１０Ａ、１０Ｂも、バルブ７ａ、７ｂと同様に、幹線管路２に二方、連絡管路６に一方の接続口を有し、いずれか一方の接続口を閉止することができるとともに、合計三方のすべての接続口を開口することができるように、弁体１９およびその作動機構が構成されている。
【００１７】
このようにして一対のバルブ１０Ａ、１０Ｂが設置されたなら、図２に示すように、弁体１９を操作して、これらバルブ１０Ａ、１０Ｂどうしの間では幹線管路２に通水しないようにするとともに、これらバルブ１０Ａ、１０Ｂどうしの間では、一対の連絡管路６、６とそれらの間のバイパス管路５とによって通水が行われるようにする。バイパス管路５と連絡管路６との接続部に設けられたバルブ７ａは、これらバイパス管路５と連絡管路６とが連通するとともに、バイパス管路５における他の部分には通水されないように、弁体８が操作される。
【００１８】
次に、図３に示すように、以上のようにしてバルブ１０Ａ、１０Ｂどうしの間で通水が遮断された幹線管路２の部分を撤去し、図４に示すように新管２０に敷設替えすることで、この部分の管路の更新を行う。この撤去および敷設替えのときには、水源または浄水場１からの水は、連絡管路６とバイパス管路５とを通って流れる。このため、断水状態を発生させることなしに更新作業を実施することができる。
【００１９】
あわせて、図３に示すように、更新箇所から所定の距離をおいた幹線管路２の部分であって、別の連絡管路６に対応する位置に、同様にして別のバルブ１０Ｃを不断水で設置し、かつこのバルブ１０Ｃに上述した別の連絡管路６を接続する。バルブ１０Ｃは、幹線管路２における通水を遮断しないように、図示のように幹線管路２への二方と連絡管路６への一方がすべて開口するか、または連絡管路６への一方が閉止するように、弁体１９が操作される。このとき、バルブ１０Ｃに対応した位置におけるバイパス管路５のバルブ７ｂの弁体８は、幹線管路２における通水に影響を与えない適宜の位置に設定される。
【００２０】
図３における更新工事が完了したなら、次に、図４に示すように、バルブ１０Ｂとバルブ１０Ｃとの間の幹線管路２の部分の更新を行う。このときには、図３に示される場合と同様に、更新箇所に通水されないようにバルブ１０Ｂ、１０Ｃの弁体１９を操作するとともに、バイパス管路５に通水されるようにバルブ７ａ、７ｂの弁体８を操作する。
【００２１】
このとき、図４に示すように、バルブ１０Ａの弁体１９を、幹線管路２への二方と連絡管路６への一方とがともに開口するように操作する。かつ、バルブ７ａの弁体８を、バイパス管路５への二方と連絡管路６への一方とがともに開口するように操作する。すると、これから更新を行おうとする幹線管路２の部分に対応したバイパス管路５が通水に供されるが、すでに更新が終わって新管２０に敷設替えされた幹線管路２の部分については、この幹線管路２の部分とそれに対応したバイパス管路５の部分とがともに通水に供される。
【００２２】
図５は、図４に示した更新工事が完了した状態を示す。このときには、バルブ１０Ｂ、１０Ｃの弁体１９を、図示のように、バルブ１０Ａと同様に幹線管路２への二方と連絡管路６への一方とがともに開口するように操作する。これにより、更新工事が完了したすべての部分において、その幹線管路２の部分とそれに対応したバイパス管路５の部分とがともに通水に供される。
【００２３】
さらに更新工事を進める場合には、同様に、図６に示すように幹線管路２における更新を行うべき箇所に沿ってバイパス管路５および連絡管路６を敷設して、バイパス管路５と連絡管路６との接合部にバルブ７ｃを設置する。そして、図７に示すように連絡管路６に対応する幹線管路２の部分にバルブ１０Ｄを不断水で設置し、図８に示すようにバルブ１０Ｃ、１０Ｄどうしの間における幹線管路２の部分を閉止するとともに、バルブ７ｂの操作によって、対応するバイパス管路５の部分を通水に供する。そして、バルブ１０Ｃ、１０Ｄどうしの間における幹線管路２の部分を撤去する。さらに、図９に示すようにこの部分を新管２０に敷設替えし、その後に、バルブ１０Ｃ、１０Ｄの操作によって、更新された幹線管路２とそれに対応するバイパス管路５との双方を給水に供するようにする。
【００２４】
このようにして更新工事が完了するが、更新後は、本来の幹線管路２のほかに、新たに敷設されたバイパス管路５もが通水に供される。すなわち、それまでの幹線管路２のみの１系統に代えて、２系統の管路によって、水源または浄水場１から市街地３への給水が行われる。しかも、これら幹線管路２とバイパス管路５とは、複数の連絡管路６によって相互に連通されている。また幹線管路２およびバイパス管路５と連絡管路６との接合部にはそれぞれバルブ７ａ、７ｂ、…とバルブ１０Ａ、１０Ｂ、…が設置されている。
【００２５】
このため、それ以後に災害が発生したり管路の更新が必要になった場合には、該当箇所に対応するバルブを操作してその該当する一方の管路の通水を停止して作業を行っても、他方の健全な管路によって市街地３への通水を確保することができ、断水発生のリスクを回避することができる。
【００２６】
なお、たとえば２箇所のバルブ１０Ａ、１０Ｂのみを設置するとともに、それに対応するバイパス管路５および連絡管路６のみを設置すれば、すなわち、図２において、バルブ７ａを設置せずに、バイパス管路５と一対の連絡管路６、６のみを設置し、かつバイパス管路５におけるバルブ７ａよりも下流側の部分とバルブ７ｂとを設置しないようにすれば、幹線管路２における最短距離についての更新工事を行うことができる。
【図面の簡単な説明】
【００２７】
【図１】本発明の実施の形態の既設管路の更新方法を示す概略平面図である。
【図２】図１の次の段階の工程を示す図である。
【図３】図２の次の段階の工程を示す図である。
【図４】図３の次の段階の工程を示す図である。
【図５】図４の次の段階の工程を示す図である。
【図６】図５の次の段階の工程を示す図である。
【図７】図６の次の段階の工程を示す図である。
【図８】図７の次の段階の工程を示す図である。
【図９】図８の次の段階の工程を示す図である。
【図１０】不断水でのバルブの設置工法を示す図である。
【符号の説明】
【００２８】
２    既設管路
５    バイパス管路
６    連絡管路
７ａ、７ｂ、７ｃ    バルブ
１０Ａ、１０Ｂ、１０Ｃ、１０Ｄ    バルブ
２０    新管
【図１】
2005240892.tif 000003
【図２】
2005240892.tif 000004
【図３】
2005240892.tif 000005
【図４】
2005240892.tif 000006
【図５】
2005240892.tif 000007
【図６】
2005240892.tif 000008
【図７】
2005240892.tif 000009
【図８】
2005240892.tif 000010
【図９】
2005240892.tif 000011
【図１０】
2005240892.tif 000012